(57)【特許請求の範囲】
【請求項１】
部品保持部材（１０５）を円周に沿って周回移動させる保持部材回転移動装置（１０９）と、上記部品保持部材による部品（５１）の保持及び装着の際に上記部品保持部材の昇降動作を行う昇降機構（１４５）とを備えた部品装着装置であって、
上記昇降機構は、上記部品保持部材の昇降動作用の駆動力を発生する駆動部（１１６）を備え、該駆動部は、
カム（１１５）及び該カムに接触するローラ（１１９）を潤滑油（１２８）に浸した状態で収納し、上壁（１２７ｂ）に開口部分（１２７ｃ）を有する潤滑油槽（１２７）と、
上記ローラが一端に取り付けられ上記開口部分を通り上記潤滑油槽の外部へ他端が延在する第１駆動レバー（１１８）と、
上記開口部分に設置され、かつ上記潤滑油が上記開口部分を通って上記潤滑油槽外へ飛散するのを防止する液体飛散防止機構（１５０）と、を備え、
上記液体飛散防止機構は、
上記第１駆動レバーを支持する円弧状の部材である第１シール部材（１５１）と、
上記第１シール部材の外周面（１５１ａ）に対応したＵ字形状の円弧面（１５２ａ）を有し、上記潤滑油の充填により上記飛散を防止するシール用隙間（１５３）を介して上記第１シール部材の外周面（１５１ａ）と上記円弧面（１５２ａ）とが互いに対向するように上記上壁に取り付けられた第２シール部材（１５２）と、
を備える組を２組備え、
上記２組は、上記第１駆動レバー（１１８）を挟んで互いに隔てられて配置されている、ことを特徴とする部品装着装置。
【請求項２】
上記回転移動装置は、上記部品保持部材を取り付けた装着ヘッド部（１０６）をさらに備え、
上記カムは、上記回転移動装置にて駆動され、上記駆動部は、該カムの駆動による上記第１駆動レバーの駆動により上記部品保持部材の昇降動作用の駆動力を発生し、
上記昇降機構は、さらに、上記駆動部にて生じた上記駆動力にて上記部品保持部材の上記昇降を行うリンク機構部（１４４）を備え、
上記リンク機構部は、上記第１駆動レバーに連結される連結リンク部（１２１、１２３）と、一端が上記連結リンク部に連結され他端が上記装着ヘッド部に係合する第２駆動レバー（１２５）とを有する、請求項１記載の部品装着装置。
【発明の詳細な説明】
【０００１】
【発明の属する技術分野】
本発明は、潤滑油等の液体を貯留する液体貯留槽内に駆動機構が設けられ、上記液体貯留槽に設けた開口部分を通して上記駆動機構の一部が上記液体貯留槽の外部へ延在する構造を有するとき、上記開口部分を通して上記液体が外部へ飛散するのを防止する液体飛散防止機構に関し、さらに、電子部品などの各種部品を保持しプリント基板等の各種装着対象物に装着する部品保持部材の昇降動作を行う昇降機構を備え、該昇降機構に上記液体飛散防止機構を設けた部品装着装置に関する。
【０００２】
【従来の技術】
従来の部品装着装置としては例えば図６に示すように構成されたものが知られている。図６に示される部品装着装置５０は、いわゆるロータリー式の部品装着装置であって、プリント基板５３に装着する電子部品５１を吸着し保持する吸着ノズル５５を、部品供給位置４１と部品装着位置４２との間で円周状に搬送することで、電子部品５１をプリント基板５３上の規定位置に装着する装置である。このような部品装着装置５０は、上記部品供給位置４１にて電子部品５１を供給する部品供給装置５２と、電子部品５１が装着される装着対象物である上記プリント基板５３を支持しかつ該プリント基板５３を部品装着位置４２に位置決めする基板支持装置５４と、上記吸着ノズル５５を昇降可能に装備した装着ヘッド５６を有し該装着ヘッド５６を間欠回転して、上記部品供給位置４１及び部品装着位置４２に吸着ノズル５５を配置させるインデックスユニット５９と、上記吸着ノズル５５を昇降させる昇降機構４５とを備える。
【０００３】
上記部品供給装置５２は、電子部品５１を収納しかつ供給する部品供給カセット５７を、上記プリント基板５３への装着に必要な電子部品５１の種類及び数に対応して複数配列した構成を有し、装着に必要な電子部品５１が上記部品供給位置４１に配置されるように、所望の電子部品５１を有する部品供給カセット５７を移動して該所望の電子部品５１の供給を行う。
上記基板支持装置５４は、上記プリント基板５３を位置決めし支持するＸ−Ｙテーブル５８を有する。該Ｘ−Ｙテーブル５８は、上記プリント基板５３上の部品取付位置に所定の電子部品５１を装着するため、上記部品装着位置４２に配置された吸着ノズル５５に対して上記部品取付位置が対向するように、平面上互いに直交するＸ、Ｙの２方向に移動する。
【０００４】
上記装着ヘッド５６は、吸着ノズル５５の配置位置に応じて吸着ノズル５５を必要な高さに制御しつつ、部品供給位置４１での電子部品５１の吸着や部品装着位置４２での電子部品５１の装着を行うために下動されるように構成されている。
上記インデックスユニット５９は、上記装着ヘッド５６を間欠回転運動させる装置であり、当該インデックスユニット５９から下方に突出する第１出力軸５９ａに上記装着ヘッド５６を取り付けている。よって、上記第１出力軸５９ａの回転により装着ヘッド５６が上記間欠回転されることで、装着ヘッド５６に取り付けられている上記吸着ノズル５５が各停止位置にて電子部品５１の吸着や装着を行う。又、インデックスユニット５９の第２出力軸５９ｂには回転体６０が取り付けられている。
【０００５】
上記昇降機構４５は、上記インデックスユニット５９に隣接して設けられ、インデックスユニット５９の間欠回転動作に対応して、上記吸着ノズル５５を昇降させるための装置であり、以下のような構造を有する。
当該昇降機構４５に備わる駆動部６６には、内部に潤滑用のオイル７８を充填したオイル槽部７７が設けられている。該オイル槽部７７には、カム軸６２が回転自在に取り付けられており、該カム軸６２には上記オイル槽部７７の外側に回転体６３が、オイル槽部７７内に板カム６５がそれぞれ取り付けられている。尚、上記板カム６５、及び後述のローラ６９は、上記オイル７８に浸かっている。上記インデックスユニット５９の上記回転体６０と上記回転体６３との間にはベルト６１が掛けられ、インデックスユニット５９の上記回転体６０の回転に従い上記カム軸６２が回転する。
【０００６】
又、上記オイル槽部７７内には、上記オイル槽部７７に取り付けた取付軸６７を中心にして回動可能であり第１〜第３アームにて大略Ｙ字形状にてなる第１駆動レバー６８が取り付けられている。該第１駆動レバー６８の第１アーム６８ａの先端には、上記板カム６５の外周に追従するローラ６９が回転自在に取り付けられており、又、オイル槽部７７に取り付けたバネ７０の一端が第１駆動レバー６８の第２アーム６８ｂに当接しており、バネ７０の付勢力による上記取付軸６７を中心とした第１駆動レバー６８の回転作用により、上記ローラ６９は板カム６５の外周に押圧され確実な上記追従が可能となる。よって、第１駆動レバー６８は、上記インデックスユニット５９の上記回転体６０の回転に伴って回転する板カム６５の外周形に追従し、上記取付軸６７を中心に揺動する。
【０００７】
又、第１駆動レバー６８の第３アーム６８ｃの先端には、第１連結リンク７１の一端が連結され、該第１連結リンク７１の他端は、第２連結リンク７３の一端とともに、連結ピン７４にてリンクブロック７２に連結されている。上記第２連結リンク７３の他端は、当該部品装着装置５０のフレーム材に回転可能に支持されている第２駆動レバー７５の一端に連結され、該第２駆動レバー７５の他端には、昇降用ローラ７６が回転自在に取り付けられている。該昇降用ローラ７６は、上記装着ヘッド５６の一部に係合されており、上記第２駆動レバー７５の揺動に追従するように構成されている。
【０００８】
上述のように、オイル槽部７７内において、上記板カム６５、及び後述のローラ６９は、上記オイル７８に浸かっている。又、オイル槽部７７内に設けた第１駆動レバー６８の第３アーム６８ｃの先端部分は、オイル槽部７７に設けた開口部７７ａからオイル槽部７７の外側へ突出している。したがって、オイル槽部７７内のオイル７８が上記開口部７７ａから外部へ飛散しないように、上記開口部７７ａには、オイルガード８０が設けられている。
【０００９】
このように構成される従来の部品装着装置５０における動作について以下に説明する。
インデックスユニット５９により第１出力軸５９ａが間欠回転を開始し、したがって第１出力軸５９ａによって装着ヘッド５６も間欠回転動作を開始する。装着ヘッド５６に備わる吸着ノズル５５は、部品供給装置５２から自動供給される電子部品５１を上記部品供給位置４１にて吸着保持し、上記間欠回転動作により、装着ヘッド５６にて吸着ノズル５５は、上記部品供給位置４１から上記部品装着位置４２まで移送される。
【００１０】
又、上記移送動作と同時に、インデックスユニット５９の第２出力軸５９ｂ及び回転体６０の回転により、ベルト６１を介して上記オイル槽部７７に備わる上記回転体６３も回転する。よってオイル槽部７７のオイル７８の中で、上記カム軸６２が回転することにより、板カム６５も回転する。よって、該板カム６５の外周に押圧されているローラ６９が板カム６５の外周に沿って追従することで、第１駆動レバー６８は、取付軸６７を中心に揺動する。
上記第１駆動レバー６８の上記揺動により、上記連結ピン７４を中心とするリンクブロック７２が揺動し、該リンクブロック７２の揺動に規制されながら第１及び第２連結リンク７１、７３が上下動する。該上下動に伴って、第２駆動レバー７５が揺動し、それに伴って、第２駆動レバー７５の昇降用ローラ７６が上下動する。したがって、該昇降用ローラ７６と係合している装着ヘッド５６の一部がその上下動に追従し、吸着ノズル５５は上下動する。このようにして、例えば部品装着位置４２において、吸着ノズル５５は下動し、プリント基板５３上の部品取付位置に電子部品５１が装着される。
【００１１】
【発明が解決しようとする課題】
しかしながら、上述した従来の構成では、オイル槽部７７の内部にて、板カム６５及びローラ６９の動作によって巻き上げられたオイル７８は、第１駆動レバー６８の全体及びガード８０に付着し、第１駆動レバー６８の揺動により、オイル槽部７７の上記開口部７７ａより外部へ飛び散ったり、又、オイル７８が板カム６５及びローラ６９により掻き回されることでミスト状になり、オイル槽部７７の外部へ浮遊してしまうことがある。そしてこれらのオイル７８が第１及び第２の連結リンク７１、７３等を伝い、吸着ノズル５５及びプリント基板５３上に滴下することも考えられる。
本発明は、このような問題点を解決するためになされたもので、オイル槽部内のオイルのような液体が液体槽から外部へ飛散するのを防止する液体飛散防止機構を有する部品装着装置を提供することを目的とする。
【００１５】
本発明の部品装着装置は、部品保持部材を円周に沿って周回移動させる保持部材回転移動装置と、上記部品保持部材による部品の保持及び装着の際に上記部品保持部材の昇降動作を行う昇降機構とを備えた部品装着装置であって、
上記昇降機構は、上記部品保持部材の昇降動作用の駆動力を発生する駆動部を備え、該駆動部は、
カム及び該カムに接触するローラを潤滑油に浸した状態で収納し、上壁に開口部分を有する潤滑油槽と、
上記ローラが一端に取り付けられ上記開口部分を通り上記潤滑油槽の外部へ他端が延在する第１駆動レバーと、
上記開口部分に設置され、かつ上記潤滑油が上記開口部分を通って上記潤滑油槽外へ飛散するのを防止する液体飛散防止機構と、を備え、
上記液体飛散防止機構は、
上記第１駆動レバーを支持する円弧状の部材である第１シール部材と、
上記第１シール部材の外周面に対応したＵ字形状の円弧面を有し、上記潤滑油の充填により上記飛散を防止するシール用隙間（１５３）を介して上記第１シール部材の外周面と上記円弧面とが互いに対向するように上記上壁に取り付けられた第２シール部材と、
を備える組を２組備え、
上記２組は、上記第１駆動レバーを挟んで互いに隔てられて配置されている、ことを特徴とする。
【００１６】
又、上記部品装着装置において、上記回転移動装置は、上記部品保持部材を取り付けた装着ヘッド部をさらに備え、
上記カムは、上記回転移動装置にて駆動され、上記駆動部は、該カムの駆動による上記第１駆動レバーの駆動により上記部品保持部材の昇降動作用の駆動力を発生し、
上記昇降機構は、さらに、上記駆動部にて生じた上記駆動力にて上記部品保持部材の上記昇降を行うリンク機構部を備え、
上記リンク機構部は、上記第１駆動レバーに連結される連結リンク部と、一端が上記連結リンク部に連結され他端が上記装着ヘッド部に係合する第２駆動レバーとを有するように構成することもできる。
【００１７】
【発明の実施の形態】
本発明の実施形態における液体飛散防止機構及び部品装着装置について、図を参照しながら以下に説明する。ここで、上記部品装着装置は、電子部品などの各種部品を保持しプリント基板等の各種装着対象物に装着する部品保持部材の昇降動作を行う昇降機構を備え、該昇降機構に上記液体飛散防止機構を設けた部品装着装置である。又、以下には、該部品装着装置を例に採り上記液体飛散防止機構について説明を行う。尚、各図において、同じ構成部分については、同じ符号を付している。
又、本実施形態の電子部品装着装置は、図１に示すように、電子部品５１をプリント基板５３上の所定の部品取付位置に装着して電子回路基板を製造する装置であるが、本実施形態はこれに限定されることなく、潤滑油等の液体を貯留する液体貯留槽内に駆動機構が設けられ、上記液体貯留槽に設けた開口部分を通して上記駆動機構の一部が上記液体貯留槽の外部へ延在する構造を有するとき、上記開口部分を通して上記液体が外部へ飛散するのを防止する必要あるような構成部分を有する部品装着装置全般に適用可能である。
【００１８】
図１に示す本実施形態の部品装着装置１００は、いわゆるロータリー式の部品装着装置であって、部品を保持する部品保持部材の機能を果たす一例であり、プリント基板５３に装着する電子部品５１を吸着し保持する吸着ノズル１０５を、部品供給位置１４１と部品装着位置１４２との間で周回状に移送することで、電子部品５１をプリント基板５３上の規定位置に装着する装置である。このような部品装着装置１００は、上記部品供給位置１４１にて電子部品５１を供給する部品供給装置１０２と、電子部品５１が装着される装着対象物である上記プリント基板５３を支持しかつ該プリント基板５３を部品装着位置１４２に位置決めする基板支持装置１０４と、上記吸着ノズル１０５を昇降可能に装備した装着ヘッド１０６を有し上記吸着ノズル１０５が上記周回状に移送されるように上記装着ヘッド１０６を間欠回転して、上記部品供給位置１４１及び部品装着位置１４２に吸着ノズル１０５を配置させる保持部材回転移動装置１０９と、電子部品５１の保持及び装着の際に上記吸着ノズル１０５を昇降させる昇降機構１４５と、これらの各構成部分の動作制御を行い部品装着動作を実行する制御装置１８０と、を備える。
【００１９】
上記部品供給装置１０２は、電子部品５１を収納しかつ供給する部品供給カセット１０７を、上記プリント基板５３への装着に必要な電子部品５１の種類及び数に対応して複数配列した構成を有し、装着に必要な電子部品５１が上記部品供給位置１４１に配置されるように、所望の電子部品５１を有する部品供給カセット１０７をカセット移動装置１０２１にて、図１の紙面に直交するＹ方向に移動して、上記所望の電子部品５１の供給を行う。尚、カセット移動装置１０２１は、例えばいわゆるボールネジ構造を有し、制御装置１８０にて動作制御される。
上記基板支持装置１０４は、上記プリント基板５３を位置決めして支持するＸ−Ｙテーブル１０８を有する。該Ｘ−Ｙテーブル１０８は、上記プリント基板５３上の部品取付位置に所定の電子部品５１を装着するため、上記部品装着位置１４２に配置された吸着ノズル１０５に対して上記部品取付位置が対向するように、図１の紙面に平行なＸ方向及び上記Ｙ方向の２方向に移動する。尚、上記Ｘ−Ｙテーブル１０８の上記移動は、例えば、いわゆるボールネジ構造を有する駆動装置１７１にて行われ、該駆動装置１７１は、制御装置１８０にて動作制御される。
【００２０】
上記装着ヘッド１０６は、吸着ノズル１０５の配置位置に応じて吸着ノズル１０５を必要な高さに制御しつつ、部品供給位置１４１での電子部品５１の吸着や部品装着位置１４２での電子部品５１の装着を行うため、上記昇降機構１４５により吸着ノズル１０５を下動させるように構成されている。又、本実施形態では、部品保持部材の機能を果たす一例として吸着ノズル１０５を用いていることから、吸着用の吸引動作を行う吸引装置１７０が装着ヘッド１０６に接続されている。尚、上記吸引装置１７０は制御装置１８０にて動作制御される。
上記保持部材回転移動装置１０９は、制御装置１８０にて動作制御され、上記装着ヘッド１０６を間欠回転運動させる装置であり、当該保持部材回転移動装置１０９から下方に突出する第１出力軸１０９ａに上記装着ヘッド１０６を取り付けている。よって、第１出力軸１０９ａにより装着ヘッド１０６が上記間欠回転されることで、装着ヘッド１０６に取り付けられている上記吸着ノズル１０５が各停止位置にて電子部品５１の吸着や装着を行う。又、保持部材回転移動装置１０９の第２出力軸１０９ｂには、プーリー状の回転体１１０が取り付けられている。
【００２１】
上記昇降機構１４５は、上記保持部材回転移動装置１０９に隣接して設けられ、保持部材回転移動装置１０９の間欠回転動作に対応して、上記吸着ノズル１０５を昇降させるための装置であり、以下のような構造を有する。
当該昇降機構１４５は、大別して、上記吸着ノズル１０５の昇降動作用の駆動力を発生する駆動部１１６と、該駆動部１１６にて生じた上記駆動力にて上記吸着ノズル１０５の上記昇降を行うリンク機構部１４４とを備える。
上記駆動部１１６には、内部に潤滑油１２８を充填し、液体貯留槽の機能を果たす一例に相当する潤滑油槽１２７が設けられている。該潤滑油槽１２７には、当該潤滑油槽１２７を貫通してカム軸１１２が回転自在に取り付けられており、該カム軸１１２には、上記潤滑油槽１２７の外側にプーリー状の回転体１１３が、潤滑油槽１２７内に板カム１１５がそれぞれ取り付けられている。尚、上記板カム１１５、及び後述のローラ１１９は、上記潤滑油１２８に浸かっており、又、潤滑油槽１２７におけるカム軸１１２の支持部分は、潤滑油１２８が漏れずかつカム軸１１２を回転自在に支持する構造にてなる。上記保持部材回転移動装置１０９の上記回転体１１０と上記回転体１１３との間にはベルト１１１が掛けられ、保持部材回転移動装置１０９の上記回転体１１０の回転に従い上記カム軸１１２が回転する。
【００２２】
又、上記潤滑油槽１２７内には、第１〜第３アーム１１８ａ〜１１８ｃにて大略Ｙ字形状にてなる第１駆動レバー１１８が、上記第１〜第３アームの接合部分に相当する当該第１駆動レバー１１８のほぼ中央部分にて当該第１駆動レバー１１８を貫通する取付軸１１７によって取り付けられている。尚、取付軸１１７と第１駆動レバー１１８とは固定されており、潤滑油槽１２７に取付軸１１７が回転自在に、かつ潤滑油１２８の外部への漏れを防止した状態にて取り付けられる。よって、第１駆動レバー１１８は、取付軸１１７を中心として該取付軸１１７の周方向へ該取付軸１１７とともに回動する。又、取付軸１１７にて潤滑油槽１２７に取り付けられた第１駆動レバー１１８において、図１に示すように、取付軸１１７に対して上記第１アーム１１８ａは下方に延在し、上記第２アーム１１８ｂは上方へ延在し、上記第３アーム１１８ｃは左側方向へ延在する。
【００２３】
上記第１アーム１１８ａの先端には、上記板カム１１５の外周に追従するローラ１１９が回転自在に取り付けられている。又、潤滑油槽１２７に取り付けたバネ１２０の一端が第１駆動レバー１１８の第２アーム１１８ｂの先端部に当接しており、バネ１２０の付勢力による上記取付軸１１７を中心とした第１駆動レバー１１８の回転作用により、上記ローラ１１９は板カム１１５の外周に押圧され、確実な上記追従が可能となる。よって、第１駆動レバー１１８は、上記保持部材回転移動装置１０９の上記回転体１１０の回転に伴って回転する板カム１１５の動きに従い、上記取付軸１１７を中心に揺動する。
【００２４】
又、図１に示すように、潤滑油槽１２７内には、潤滑油貯留室の仕切りとして上壁１２７ｂが設けられており、該上壁１２７ｂには上記第１駆動レバー１１８を挿通させる開口部分１２７ｃが設けられている。このような上壁１２７ｂに対して上記取付軸１１７は、上壁１２７ｂよりも僅かに上方に位置しかつ開口部分１２７ｃに対応して設けられる。
【００２５】
上記開口部分１２７ｃに対応して液体飛散防止機構１５０が設けられている。該液体飛散防止機構１５０は、第１シール部材１５１及び上壁１２７ｂに取り付けられる第２シール部材１５２を備え、上記潤滑油１２８が開口部分１２７ｃを通って潤滑油槽１２７の外へ飛散するのを防止する。図１〜図３を参照して上記液体飛散防止機構１５０について説明する。
本実施形態では上述のように、第１駆動レバー１１８が取付軸１１７を中心に該取付軸１１７とともに揺動することから、第１シール部材１５１は、本実施形態では図２に示すように、第１駆動レバー１１８の上記取付軸１１７の周面に、該取付軸１１７と同心円状に設けられる円弧状の部材であって第１外面の機能を果たす一例としての円周状の外面１５１ａを有する部材である。該第１シール部材１５１は、図２に拡大して図示するように、上記取付軸１１７の周方向に沿って２分割されて設けられている。各第１シール部材１５１は、取付軸１１７の軸方向に沿って延在している。
尚、このような構造に限らず、円周状の外面を有する上記取付軸１１７をそのまま第１シール部材１５１とすることもできる。
【００２６】
上記第２シール部材１５２は、図２に示すように、上壁１２７ｂの開口部分１２７ｃに対応する場所で、上記取付軸１１７に取り付けられているそれぞれの第１シール部材１５１に対向するように２つ設けられる。それぞれの第２シール部材１５２は、上記取付軸１１７の軸方向に沿って上壁１２７ｂに取り付けられる。又、各第２シール部材１５２は、それぞれの第１シール部材１５１の上記外周面１５１ａに沿う形状で該外周面１５１ａと同心円又はほぼ同心円にてなる凹状の円弧面１５２ａを有する。該円弧面１５２ａは、第２外面の機能を果たす一例に相当する。
尚、図１では、部品装着装置１００の構造を概略的に示しており、比較的詳細に図示している図３に比べると上記上壁１２７ｂ部分等の図示は、図３における図示と若干相違する。
【００２７】
このような第１シール部材１５１及び第２シール部材１５２は、第２シール部材１５２の上記円弧面１５２ａに第１シール部材１５１の外周面１５１ａが近接しかつ円弧面１５２ａと外周面１５１ａとが同心円になるように、第２シール部材１５２上に第１シール部材１５１を配置する。このとき図２に示すように、潤滑油槽１２７内に貯留している潤滑油１２８が開口部分１２７ｃを通って潤滑油槽１２７の外へ飛散するのを防止するシール用隙間１５３が円弧面１５２ａと外周面１５１ａとの間に形成されるように、第２シール部材１５２に対向して第２シール部材１５２上に第１シール部材１５１は配置される。又、さらに、上記シール用隙間１５３に上記潤滑油１２８を充填することで、上記飛散をより効果的に防止することができる。
【００２８】
上述のように、それぞれの第１シール部材１５１は、取付軸１１７の周方向において互いに隔てられて配置され、又、各第２シール部材１５２は各第１シール部材１５１に対応して設けられていることから、取付軸１１７の周方向においては上記シール用隙間１５３が形成されており、さらに該シール用隙間１５３に潤滑油１２８を充填することで上記飛散をより効果的に防止できる。しかしながら、各第１シール部材１５１が上記周方向に隔てられて配置されていることから両者の間には通路１５４が存在し、該通路１５４は、取付軸１１７の軸方向に沿って延在している。したがって、上記上壁１２７ｂの開口部分１２７ｃと上記通路１５４とは気密構造を形成していない。しかしながら、上記通路１５４は、図３に示すように、上記取付軸１１７と、上記潤滑油槽１２７の側壁１２７ｄ及び上記上壁１２７ｂとによって仕切られる部屋１５５内に存在する。よって、たとえ上記潤滑油１２８が上記開口部分１２７ｃ及び上記通路１５４を通過したとしても、部屋１５５内に留まる。該部屋１５５と、潤滑油槽１２７の外部との唯一の隙間は、上記シール用隙間１５３であるが、上述のようにここに潤滑油１２８を充填することで上記部屋１５５と潤滑油槽１２７の外部とを遮断することができる。尚、取付軸１１７と潤滑油槽１２７の側壁１２７ｄとは、Ｏ−リング１５６にてシールされている。
【００２９】
このように構成することで、開口部分１２７ｃは、上記シール用隙間１５３にて覆われる。よって、潤滑油１２８の上記飛散は、シール用隙間１５３にて防止可能であり、該シール用隙間１５３が狭いほどその効果は大きい。さらに本実施形態では、上記円弧面１５２ａの好ましくは全面には、上記周囲面１５１ａとの間に潤滑油１２８が満たされている。よって、上記シール用隙間１５３に充填されている潤滑油１２８によって液体シール層が形成され、潤滑油槽１２７内に貯留されている潤滑油１２８が、上記開口部分１２７ｃを通過して潤滑油槽１２７の外側へ飛散することを、より効果的に防止することができる。又、上述のように、潤滑油１２８による液体シール層にて潤滑油１２８の外部への飛散を防止していることから、いわゆるミスト状の潤滑油１２８でさえ外部へ排出されるのを防止することができる。その結果、外部へ飛散した潤滑油１２８が吸着ノズル１０５やプリント基板５３等に付着することに起因する品質不良を防止することができ、結果的に生産性を向上させることができる。
【００３０】
又、本実施形態のように、潤滑油槽１２７の上壁１２７ｂに対して第２シール部材１５２を取り付ける構造を採ることで、例えば第２シール部材１５２の厚みを調整する等の手法により、上記シール用隙間１５３の寸法設定を非常に細かく行うことができる。したがって、このような構成は、潤滑油１２８の上記外部への飛散防止を確実に達成するように作用し、上記品質不良防止、及び生産性向上を図ることができる。
【００３１】
上述のように、上記シール用隙間１５３に液体を充填して上記液体シール層を形成するのが好ましいことから、上記シール用隙間１５３の具体的な寸法は、飛散防止対象となる液体や粘度により異なる。本実施形態の潤滑油１２８の場合、シール用隙間１５３を０．３ｍｍ以下にすることで、上記液体シール層が形成可能であり、これにより上記開口部分１２７ｃと潤滑油槽１２７の外部との通気を遮断することができる。
又、第１シール部材１５１は、第１駆動レバー１１８の揺動により回動することから、図２に示すように、第２シール部材１５２に比べて回動方向に大きく作製され、換言すると、上記円弧面１５２ａが常に上記外周面１５１ａとの間で上記シール用隙間１５３を形成するように、第１シール部材１５１及び第２シール部材１５２は作製される。
【００３２】
尚、上記液体飛散防止機構１５０について、本実施形態では取付軸１１７がその周方向に沿って揺動することから、上述のように、第１シール部材１５１の外面は円周状とし、かつこれに対応して第２シール部材１５２には円弧面１５２ａを形成したが、本実施形態の構成に限定されるものではない。要するに上記シール用隙間１５３を形成する、第１外面及び該第１外面に沿う第２外面を有する第１シール部材及び第２シール部材を設ければよい。
【００３３】
上記液体飛散防止機構１５０の作用により潤滑油１２８の飛散が防止されている上記上壁１２７ｂよりも上方にて上記潤滑油槽１２７の側壁に設けたアーム突出用穴１２７ａを通して、第１駆動レバー１１８の第３アーム１１８ｃの先端が突出している。該第３アーム１１８ｃの先端には、第１連結リンク１２１の一端が連結され、該第１連結リンク１２１の他端は、第２連結リンク１２３の一端とともに、連結ピン１２４にてリンクブロック１２２の一端部に連結されている。該リンクブロック１２２は、当該リンクブロック１２２の他端部にて、部品装着装置１００のフレーム材１９０に回動自在に取り付けられる。上記第２連結リンク１２３の他端は、当該部品装着装置１００のフレーム材１９１に回動可能に支持されている第２駆動レバー１２５の一端に連結され、該第２駆動レバー１２５の他端には、昇降用ローラ１２６が回転自在に取り付けられている。該昇降用ローラ１２６は、上記装着ヘッド１０６の一部に係合されており、上記第２駆動レバー１２５の揺動に追従するように構成されている。
【００３４】
このように構成される部品装着装置１００における動作について以下に説明するが、基本的に上述した従来の部品装着装置５０における動作に類似するので、ここでは略説する。尚、動作制御は、制御装置１８０にて実行される。
保持部材回転移動装置１０９が作動することにより、装着ヘッド１０６が間欠回転する。したがって装着ヘッド１０６に備わる吸着ノズル１０５は、上記部品供給位置１４１にて部品供給装置１０２から電子部品５１を吸着保持し、上記部品装着位置１４２まで移送する。
又、上記電子部品５１の移送動作と同時に、上記ベルト１１１を介して上記潤滑油槽１２７に備わる上記回転体１１３も回転する。よって潤滑油槽１２７内の潤滑油１２８の中で、上記回転体１１３の回転に伴い板カム１１５も回転する。よって、板カム１１５に対する上記ローラ１１９の追従に従い、第１駆動レバー１１８は、取付軸１１７を中心に、矢印１７２方向に沿って揺動する。
【００３５】
又、潤滑油１２８中での、板カム１１５の回転、及び該板カム１１５へのローラ１１９の追従動作等によって、潤滑油槽１２７内の潤滑油１２８は飛びはねて、上記上壁１２７ｂの開口部分１２７ｃ、さらには上記部屋１５５内まで至る場合もある。しかしながら、このような場合であっても、上述のように本実施形態では上記液体飛散防止機構１５０を設けたことより、上記飛び跳ねた潤滑油１２８や、ミスト状となった潤滑油１２８が外部へ排出されることを防止することができる。
よって、外部へ飛散した潤滑油１２８が吸着ノズル１０５やプリント基板５３等に付着することに起因する品質不良を防止することができ、結果的に生産性を向上させることができる。
【００３６】
上記第１駆動レバー１１８の上記揺動により、第１連結リンク１２１を介してリンクブロック１２２が揺動し、さらに該リンクブロック１２２の揺動にて第２連結リンク１２３を介して第２駆動レバー１２５が揺動する。したがって、第２駆動レバー１２５の昇降用ローラ１２６が上下動し、該昇降用ローラ１２６と係合している装着ヘッド１０６の一部がその上下動に追従する。よって、吸着ノズル１０５が上下動する。このようにして、例えば部品装着位置１４２において、吸着ノズル１０５は下動し、プリント基板５３上の部品取付位置に電子部品５１が装着される。
【００３７】
上述の説明では、液体飛散防止機構１５０を部品装着装置１００に設けた場合を例に採ったが、これに限定されるものではなく、液体貯留槽の上部に存在する開口部分を通して貯留している液体の飛散を防止する必要がある構造において、液体飛散防止機構１５０は設けることができる。
又、上記ミスト状の液体の外部への飛散防止を考慮しなくてもよいときには、上記シール用隙間１５３に液体の充填を行わなくても良い。
【００３８】
又、上述の実施形態では、液体飛散防止機構１５０を構成する上記第１シール部材１５１は、図２に示すように取付軸１１７の周方向に沿って２つに隔てられて配置され、それに対応して第２シール部材１５２も２つ設けている。該構成により、取付軸１１７の軸方向に沿って上記通路１５４が形成されている。そこで、上記液体飛散防止機構１５０の変形例である、図４及び図５に示す液体飛散防止機構２５０を用いることもできる。尚、図４及び図５は、液体飛散防止機構２５０の基本構造を示す図である。
【００３９】
上記第１シール部材１５１に対応する第１シール部材２５１は、図示するような円柱状又は円筒状の部材であり、上記取付軸１１７を兼用する。上記第２シール部材１５２に相当する第２シール部材２５２は、上壁１２７ｂの開口部分１２７ｃに対応して上壁１２７ｂに取り付けられ、第１シール部材２５１を受け入れ可能で、第１シール部材２５１の外周面２５１ａに沿う形状で該外周面２５１ａと同心円又はほぼ同心円にてなる、Ｕ字形状つまり凹状の円弧面２５２ａを有する。尚、該円弧面２５２ａは、第２外面の機能を果たす一例に相当する。さらに、上記円弧面２５２ａに開口する貫通穴で、開口部分１２７ｃを通過する上記第１駆動レバー１１８の上記第１アーム１１８ａを挿通する貫通穴２５２ｂが第２シール部材２５２に形成されている。
【００４０】
このように構成した液体飛散防止機構２５０においても上述の液体飛散防止機構１５０の場合と同様に、図５に示すように、第１シール部材２５１の外周面２５１ａと、第２シール部材２５２の円弧面２５２ａとの間に、上述のシール用隙間１５３に相当するシール用隙間２５３を形成する。当該液体飛散防止機構２５０では、第１シール部材２５１及び第２シール部材２５２は、液体飛散防止機構１５０の場合のように２つに分断していないので、図４から明らかなように、上記外周面２５１ａと上記円弧面２５２ａとの間に形成される上記シール用隙間２５３は、第１シール部材２５１の軸方向及び周方向、換言すると上記貫通穴２５２ｂの周囲に形成される。尚、該シール用隙間２５３には、上記潤滑油１２８が充填されるのが好ましい。このように当該液体飛散防止機構２５０では、上記通路１５４は存在しない。よって、上述の部屋１５５がたとえなくても、ミスト状の潤滑油１２８でさえ潤滑油槽１２７の外部へ排出されるのを防止することができる。
【００４１】
【発明の効果】
以上詳述したように本発明の第１態様の液体飛散防止機構によれば、第１シール部材及び第２シール部材を備え第１シール部材と第２シール部材との間に飛散防止対象である液体が充填されるシール用隙間を介して上記第１シール部材及び第２シール部材を配置したことにより、液体貯留槽の開口部分を通して飛散しようとする液体を上記シール用隙間に充填されている液体にて液体貯留槽内に密閉することができる。
【００４２】
上記第１シール部材を円筒形の部材とし、上記第２シール部材は上記円筒形の外周面に対応した円弧面を有するように構成したことにより、第１シール部材がその周方向へ回動する場合に省スペースを図りながら上記液体の外部への飛散を防止することができる。
【００４３】
又、本発明の第２態様及び第３態様の部品装着装置によれば、上述の第１態様の液体飛散防止機構を備えたことで、昇降機構において液体の外部飛散を防止することができる。よって、当該部品装着装置にて作製される被部品装着体等を、飛散した液体にて汚すことを防止でき、上記被部品装着体等の品質不良発生の防止を図ることができ、ひいては生産性の向上を図ることができる。
【図面の簡単な説明】
【図１】本発明の実施形態における部品装着装置の構成図である。
【図２】図１に示す部品装着装置に備わる液体飛散防止機構部分を示す拡大図である。
【図３】図１に示す部品装着装置に備わる液体飛散防止機構部分における、取付軸の軸方向に沿った断面図である。
【図４】上記液体飛散防止機構の変形例の基本構造を示す斜視図である。
【図５】図４に示す液体飛散防止機構におけるシール用隙間を示す図であって、図４に示すＩ−Ｉ部に相当する箇所における断面図である。
【図６】従来の部品装着装置の構成図である。
【符号の説明】
５１…電子部品、
１００…部品装着装置、１０５…吸着ノズル、１０６…装着ヘッド、
１０９…保持部材回転移動装置、１１５…板カム、１１６…駆動部、
１１９…ローラ、１２１…第１連結リンク、１２３…第２連結リンク、
１２５…第２駆動レバー、１２７…潤滑油槽、１２７ｂ…上壁、
１２７ｃ…開口部分、１２８…潤滑油、１４４…リンク機構部、
１４５…昇降機構、１５１…第１シール部材、１５１ａ…外周面、
１５２…第２シール部材、１５２ａ…円弧面、１５２ｂ…貫通穴、
１５３…シール用隙間、１８０…制御装置。
【図１】
0004588937.tif 000002
【図２】
0004588937.tif 000003
【図３】
0004588937.tif 000004
【図４】
0004588937.tif 000005
【図５】
0004588937.tif 000006
【図６】
0004588937.tif 000007